(57)【要約】【課題】吸込口の大きさおよび形状を変えることができ、同じ吸込具でいろいろのスペースの部分が掃除できる電気掃除機用吸込具を提供することを目的とする。【解決手段】先端部に吸込口４を有する吸込具本体１と、前記吸込具本体１の外郭を締め付ける挟持体６とを備え、前記吸込具本体１の前記吸込口４を形成する外郭部を前記挟持体６にて締め付けることで、前記吸込口４の形状を変形させるもので、吸込口４の大きさおよび形状を変えることができ、同じ吸込具でいろいろのスペースの部分が掃除できる。【選択図】　図１
2004135956.tif 000002
【特許請求の範囲】
【請求項１】
先端部に吸込口を有する吸込具本体と、前記吸込口を形成する吸込具本体の外郭部を締め付ける挟持体とを備え、前記吸込口を形成する吸込具本体の外郭部を前記挟持体にて締め付けることで、前記吸込口の形状を変形させる電気掃除機用吸込具。
【請求項２】
吸込口を形成する吸込具本体の外郭部の外形形状を、他の部分より大きく構成し、かつ、挟持体を前記吸込口側に摺動自在に設けた請求項１記載の電気掃除機用吸込具。
【請求項３】
挟持体は、係合部と被係合からなる係合体を有し、前記係合部を前記被係合に係合することで、吸込口の形状を変形させる請求項１記載の電気掃除機用吸込具。
【請求項４】
先端部に吸込口を有する吸込具本体と、前記吸込口と連通する空気流路内部に係止部と被係止部からなる係止体とを備え、前記係合部を前記被係合に係合することで、前記吸込口の形状を変形させる電気掃除機用吸込具。
【請求項５】
略円状の吸込口の形状を、略長円状あるいは略８の字状に変えることができる請求項１〜４のいずれか１項に記載の電気掃除機用吸込具。
【請求項６】
吸込口を形成する吸込具本体の外郭部の近傍に、ブラシを設けた請求項１〜５のいずれか１項に記載の電気掃除機用吸込具。
【請求項７】
先端部に吸込口を有する吸込具本体と、前記吸込口を形成する吸込具本体の外郭部の近傍に、前記吸込口より開口側が外側へ拡がるように設けたブラシと、前記ブラシの外周を締め付けるカバー体とを備え、前記ブラシの外周を前記カバー体にて締め付けることで、前記ブラシの開口側の位置が変化する電気掃除機用吸込具。
【請求項８】
吸込具は、吸込具本体と前記吸込具本体に接続された接続管から構成されるとともに、請求項１〜８のいずれか１項に記載の吸込具が、掃除機本体側と連通接続可能な電気掃除機。
【発明の詳細な説明】
【０００１】
【発明の属する技術分野】
本発明は、業務用あるいは一般家庭で使用される電気掃除機用吸込具に関するものである。
【０００２】
【従来の技術】
従来の電気掃除機用吸込具としては、以下のような構成が一般的であった。その構成について図１０、図１１を用いて説明する。
【０００３】
２１は吸込具本体であり、軟質塩化ビニール等の軟質材で成形されている。この吸込具本体２１の内部は中空に形成して、一端は開口して吸込口２２を設け、他端には接続管２３を回転自在に接続する接続口２４を設けている。前記吸込具本体２１の吸込口２２側の端部全周にはブラシ保持溝２５が形成され、軟質のブラシ２６を保持した環状のブラシホルダー２７を前記ブラシ保持溝２５に挿入するとともにブラシ保持溝２５を形成する内壁と外壁とで挟持している（例えば、特許文献１参照。）。
【０００４】
【特許文献１】
実公平４−３３１１０号公報
【０００５】
【発明が解決しようとする課題】
しかしながら、前記従来の構成では、吸込口２２が大きさが固定しているので、壁と机の間等の隙間を掃除する時には、それより吸込口２２の大きさが小さな吸込具に付け替えて掃除する必要があり、また、それぞれ吸込口２２が大きさが異なる吸込具を備えておかなければならならず、使用性が悪いという課題を有していた。
【０００６】
本発明は、前記従来の課題を解決するもので、吸込口の大きさおよび形状を変えることができ、同じ吸込具でいろいろのスペースの部分が掃除できる電気掃除機用吸込具を提供することを目的とする。
【０００７】
【課題を解決するための手段】
前記従来の課題を解決するために本発明は、先端部に吸込口を有する吸込具本体と、前記吸込口を形成する吸込具本体の外郭部を締め付ける挟持体とを備え、前記吸込口を形成する吸込具本体の外郭部を前記挟持体にて締め付けることで、前記吸込口の形状を変形させるもので、吸込口の大きさおよび形状を変えることができ、同じ吸込具でいろいろのスペースの部分が掃除できる。
【０００８】
【発明の実施の形態】
請求項１記載の発明は、先端部に吸込口を有する吸込具本体と、前記吸込口を形成する吸込具本体の外郭部を締め付ける挟持体とを備え、前記吸込口を形成する吸込具本体の外郭部を前記挟持体にて締め付けることで、前記吸込口の形状を変形させるもので、吸込口の大きさおよび形状を変えることができ、同じ吸込具でいろいろのスペースの部分が掃除できる。
【０００９】
請求項２記載の発明は、吸込口を形成する吸込具本体の外郭部の外形形状を、他の部分より大きく構成し、かつ、挟持体を前記吸込口側に摺動自在に設けたもので、前記吸込口の形状を変形させるもので、吸込口の大きさおよび形状を変えることができ、同じ吸込具でいろいろのスペースの部分が掃除できるとともに、使用者が容易に吸込口の大きさおよび形状を変えることができる。
【００１０】
請求項３記載の発明は、挟持体は、係合部と被係合からなる係合体を有し、前記係合部を前記被係合に係合することで、吸込口の形状を変形させるもので、吸込口の大きさおよび形状を変えることができ、同じ吸込具でいろいろのスペースの部分が掃除できるとともに、使用者が容易に吸込口の大きさおよび形状を変えることができる。
【００１１】
請求項４記載の発明は、先端部に吸込口を有する吸込具本体と、前記吸込口と連通する空気流路内部に係止部と被係止部からなる係止体とを備え、前記係合部を前記被係合に係合することで、前記吸込口の形状を変形させるもので、吸込口の大きさおよび形状を変えることができ、同じ吸込具でいろいろのスペースの部分が掃除できるとともに、使用者が容易に吸込口の大きさおよび形状を変えることができる。また、吸込口の大きさおよび形状を変えるための別の部品を必要とすることなく、低コスト化が実現できる。
【００１２】
請求項５記載の発明は、略円状の吸込口の形状を、略長円状あるいは略８の字状に変えることができるもので、吸込口の大きさおよび形状を変えることができ、同じ吸込具でいろいろのスペースの部分が掃除できる。
【００１３】
請求項６記載の発明は、吸込口を形成する吸込具本体の外郭部の近傍に、ブラシを設けたもので、拭き掃き機能も有することができる。
【００１４】
請求項７記載の発明は、先端部に吸込口を有する吸込具本体と、前記吸込口を形成する吸込具本体の外郭部の近傍に、前記吸込口より開口側が外側へ拡がるように設けたブラシと、前記ブラシの外周を締め付けるカバー体とを備え、前記ブラシの外周を前記カバー体にて締め付けることで、前記ブラシの開口側の位置が変化するもので、狭い場所を掃除したい時には前記カバー体をブラシの根元を隠すような位置まで摺動させることで、ブラシは前記カバー体により内側に押され、ブラシ先端部は内側に倒れて吸い込み形状が細くなり、同じ吸込具で隙間まで掃除することができる。
【００１５】
請求項８記載の発明は、吸込具は、吸込具本体と前記吸込具本体に接続された接続管から構成されるとともに、請求項１〜８のいずれか１項に記載の吸込具が、掃除機本体側と連通接続可能な電気掃除機で、同じ吸込具でいろいろのスペース部分が掃除できる電気掃除機を提供できる。
【００１６】
【実施例】
（実施例１）
以下、本発明の第１の実施例を、図１〜図３を用いて説明する。
【００１７】
１は吸込具本体であり、ゴム等の軟質材料で形成しており、本実施例では軟質塩化ビニールで成形したものを使用している。この吸込具本体１の内部は中空に形成して、前記吸込具本体１の一端に、電気掃除機（図示せず）と連結したホース（図示せず）、延長管（図示せず）に嵌合する接続管２を回転自在に接続しており、前記吸込具本体１と前記接続管２は、接続口３にて連通している。前記吸込具本体１の他端には、塵埃を吸引するための開口部である吸込口４を設け、その吸込口４を形成する前記吸込具本体１の外郭部には、前記吸込口４を包囲するようブラシ５が設けられている。また、吸込口４を形成する前記吸込具本体１の外郭部の外形形状は他の部分より大きく形成されており、吸込具本体１の外側には、略Ｕ字状に形成され、吸込口４側に向かって上下方向に摺動自在に設けた挟持体６を備えている。
【００１８】
上記構成による作用は以下のとおりである。
【００１９】
挟持体６を吸込口４側に向かって摺動させ、吸込口４を形成する前記吸込具本体１の外郭部を前記挟持体６により締め付けることにより、吸込口３の形状が略円形状から略長円状に変化し、ブラシ５の先端部もそれに合わせて変形することで、吸込具本体１の横幅が狭くなる。これにより、狭い場所を掃除したい時にも他の吸込具に取り替えることなく同じ吸込具を用いて隙間まで掃除作業を続けることができる。
【００２０】
（実施例２）
以下、本発明の第２の実施例を、図４及び図５を用いて説明する。なお上記実施例と同一構成部品については同一符号を付して、その説明を省略する。
【００２１】
吸込具本体１の外周に、係合部７及びそれに係合する被係合部８からなる係合体９を複数備えた保持体１０を、吸込口４近傍の吸込具本体１に固定されて構成している。
【００２２】
上記構成による作用は以下のとおりである。
【００２３】
係合体９を構成する係合部７と被係合部８の係合を外すと、周辺の保持体１０は略円弧状になり、それに伴い、その係合体９近傍の吸込具本体１の端部も略円弧状に変形する。また、係合体９を構成する係合部７と被係合部８を係合させると、周辺の保持体１０は略直線状になり、前記保持体１０が吸込口４を形成する前記吸込具本体１の外郭部を強く締め付けることにより、それに伴い、その係合体９近傍の吸込具本体１の端部も略直線状に変形する。
【００２４】
図５に示すように、中央部の係合体９を係合させた状態にし、残りの係合体９の係合を外すと、前記保持体１０が吸込口４を形成する前記吸込具本体１の外郭部を、ある程度締め付けることにより、前記略長円状に吸込口４が変化し、ブラシ５の先端部もそれに合わせて変形することで、吸込具本体１の横幅が狭くなる。
【００２５】
したがって、狭い場所を掃除したい時にも他の吸込具に取り替えることなく、同じ吸込具を用いて隙間まで掃除作業を続けることができる。
【００２６】
なお、ここでは略長円状に変化させた例を示したが、使用場所に応じて係合させる位置を変えて、他の吸込口形状を作ることもできる。
【００２７】
（実施例３）
以下、本発明の第３の実施例を、図６及び図７を用いて説明する。なお上記実施例と同一構成部品については同一符号を付して、その説明を省略する。
【００２８】
吸込具本体１の吸引風が通過する流路内で吸込口４の近傍に凸状の係止部１１を設け、前記係止部１１と対向する位置に、前記係止部１１と係合する被係止部１２を凹状に設けている。
【００２９】
上記構成による作用は以下のとおりである。
【００３０】
係止部１１及び被係止部１２を係合させると、図７に示すように、吸込口４は略８の字状に変形し、ブラシ５からなる部分もそれに合わせて変化し、吸込具本体１の横幅が狭くなる。
【００３１】
したがって、狭い場所を掃除したい時にも他の吸込具に取り替えることなく、同じ吸込具を用いて隙間まで掃除作業を続けることができる。
【００３２】
なお、ここでは凹凸の係止方法で行ったが、マジックテープ（登録商標）のような引掛け構成等でも同じ効果が得られる。
【００３３】
（実施例４）
以下、本発明の第４の実施例を、図８及び図９を用いて説明する。なお上記実施例と同一構成部品については同一符号を付して、その説明を省略する。
【００３４】
ブラシ５を、吸込口４を形成する吸込具本体１の外郭部、つまり吸込口４近傍の吸込具本体１の端部に、吸込口４より外側に開いた状態にして形成し（２点鎖線部）、吸込具本体１の外周にカバー体１３を、吸込口４側に上下方向に摺動自在に設けている。
【００３５】
上記構成による作用は以下のとおりである。
【００３６】
通常は、ブラシ５は外側に向いている為、ブラシ５先端部は広がった状態になっているが、カバー体１３を吸込口４側に移動させ、前記ブラシ５を締め付けると、カバー体１３の内面がブラシ５を内側へ押し込み、ブラシ５先端部の広さが狭くなる。
【００３７】
したがって、狭い場所を掃除したい時にも他の吸込具に取り替えることなく、同じ吸込具を用いて隙間まで掃除作業を続けることができる。
【００３８】
【発明の効果】
以上のように本発明によれば、吸込口の大きさおよび形状を変えることができ、同じ吸込具でいろいろのスペースの部分が掃除できる電気掃除機用吸込具を提供できる。
【図面の簡単な説明】
【図１】本発明の実施例１における電気掃除機用吸込具の側面図
【図２】同電気掃除機用吸込具の隙間掃除時の側面図
【図３】図１のＡ−Ａ断面図
【図４】本発明の実施例２における電気掃除機用吸込具の側面図
【図５】図４のＢ−Ｂ断面図
【図６】本発明の実施例３における電気掃除機用吸込具の上面図
【図７】同電気掃除機用吸込具の隙間掃除時の上面図
【図８】本発明の実施例４における電気掃除機用吸込具の側面図
【図９】同電気掃除機用吸込具の隙間掃除時の側面図
【図１０】従来の電気掃除機用吸込具の側面図
【図１１】同電気掃除機の側断面図
【符号の説明】
１　吸込具本体
３　接続口
４　吸込口
５　ブラシ
６　挟持体
【図１】
2004135956.tif 000003
【図２】
2004135956.tif 000004
【図３】
2004135956.tif 000005
【図４】
2004135956.tif 000006
【図５】
2004135956.tif 000007
【図６】
2004135956.tif 000008
【図７】
2004135956.tif 000009
【図８】
2004135956.tif 000010
【図９】
2004135956.tif 000011
【図１０】
2004135956.tif 000012
【図１１】
2004135956.tif 000013